(57)【要約】【課題】  放電セルの内部に突出する不透明突出電極を利用して色温度及び明室コントラストを向上させたプラズマディスプレイパネルを提供する。【解決手段】  プラズマディスプレイパネルは，互いに対向するように配置した前面基板及び背面基板と，背面基板に形成されるアドレス電極と，両基板の間に配置されて放電セルを形成する隔壁と，放電セルの内部に印加された放電ガスにより励起されて発光する赤，緑，青色の蛍光体，及び前面基板に形成される表示電極を含み，表示電極はそれぞれの放電セルの内部に突出形成される不透明突出電極を備えて，赤，緑，青色の放電セルの中で少なくとも２つの互いに異なる放電セルの内部に配置される不透明突出電極が互いに異なる大きさの面積で形成される。【選択図】    図４
2005340221.tif 000002
【特許請求の範囲】
【請求項１】
互いに対向するように配置された前面基板及び背面基板と；
前記背面基板に形成されたアドレス電極と；
前記両基板の間に配置されて放電セルを区画する隔壁と；
前記放電セルの内部に印加された放電ガスによって励起されて発光する赤，緑，および青色の蛍光体と；
前記前面基板に形成された表示電極とを含み，
前記表示電極はそれぞれの放電セルの内部に突出形成される不透明突出電極を備えて，前記赤，緑，および青色の放電セルの中で少なくとも２つの互いに異なる放電セルの内部に配置される不透明突出電極が互いに異なる大きさの面積で形成されたことを特徴とする，プラズマディスプレイパネル。
【請求項２】
前記不透明電極の中で，青色放電セルの内部に突出した不透明突出電極は，緑色及び赤色放電セルの内部に突出した不透明突出電極より小さい面積で形成されたことを特徴とする，請求項１に記載のプラズマディスプレイパネル。
【請求項３】
前記不透明突出電極は，放電セルの内部に向かって突出する第１電極部を含むことを特徴とする，請求項１に記載のプラズマディスプレイパネル。
【請求項４】
前記第１電極部は，前記アドレス電極と同一方向に形成されることを特徴とする，請求項３に記載のプラズマディスプレイパネル。
【請求項５】
前記第１電極部は，前記アドレス電極から所定の傾斜角傾いて形成されることを特徴とする，請求項３に記載のプラズマディスプレイパネル。
【請求項６】
前記不透明突出電極は，前記第１電極部の端部に備えられる第２電極部をさらに含むことを特徴にする，請求項３に記載のプラズマディスプレイパネル。
【請求項７】
前記第１電極部は，前記アドレス電極と同一方向に形成され，前記第２電極部は前記第１電極部と直交する方向に形成されることを特徴とする，請求項６に記載のプラズマディスプレイパネル。
【請求項８】
前記第１電極部は，前記アドレス電極から所定の傾斜角傾いて形成され，前記第２電極部は前記アドレス電極と直交する方向に形成されることを特徴とする，請求項６に記載のプラズマディスプレイパネル。
【請求項９】
前記第１電極部及び第２電極部が同一幅に形成されることを特徴とする，請求項６に記載のプラズマディスプレイパネル。
【請求項１０】
前記第２電極部は，第１電極部より大きい幅に形成されることを特徴とする，請求項６に記載のプラズマディスプレイパネル。
【請求項１１】
前記表示電極は，前記不透明突出電極と電気的に結合された透明電極をさらに含むことを特徴とする，請求項３に記載のプラズマディスプレイパネル。
【請求項１２】
前記透明電極は，前記放電セルの内部に形成されることを特徴とする，請求項１１に記載のプラズマディスプレイパネル。
【請求項１３】
前記表示電極は対称構造に形成されることを特徴とする，請求項１１に記載のプラズマディスプレイパネル。
【請求項１４】
前記表示電極は，非対称構造に形成されることを特徴とする，請求項１１に記載のプラズマディスプレイパネル。
【発明の詳細な説明】
【技術分野】
【０００１】
本発明は，プラズマディスプレイパネルに関する。
【背景技術】
【０００２】
プラズマディスプレイパネル（ＰＤＰ）は，プラズマ放電によって励起された蛍光体によって画像を形成する装置である。ＰＤＰでは，ＰＤＰの放電空間に設置された二つの電極に所定の電圧が印加され，これらの間でプラズマ放電が起こり，放電時に発生する紫外線によって蛍光体層が励起されて画像が形成される。
【０００３】
このようなＰＤＰは，交流型，直流型，または混合型等に大別される。この中で上記交流型ＰＤＰは，互いに対向する一対の前面基板及び背面基板を備える。
【０００４】
上記背面基板には，アドレス電極が形成され，アドレス電極上には誘電層が形成され，誘電層上には放電距離を維持してセル間の電気的及び光学的クロストークを防止する複数の隔壁が形成される。
【０００５】
そして，背面基板と対向する前面基板には，Ｘ電極及びＹ電極の一対からなる表示電極がアドレス電極と交差するように形成される。
【０００６】
ここで，上記表示電極を構成するＸ電極及びＹ電極は透明なＩＴＯ（インジウム錫酸化物）電極と，上記ＩＴＯ電極の導電性を補償するための金属バス電極を用いて各々形成される。
【０００７】
このように構成されるＰＤＰにおいて，最近は放電を容易に起こすために上記ＩＴＯ電極が放電セルの内部に突出形成されて，外光反射輝度を減少させて明室コントラスト（外光を受けたときのコントラスト）を向上させるために上記金属バス電極の一部分をＩＴＯ電極と同様に放電セルの内部に突出形成している。
【０００８】
一方，上記蛍光体の中で青色Ｂは，赤色Ｒ及び緑色Ｇに比べて光の放出強度が相対的に弱いために一般に低い色温度を示すようになる。
【０００９】
このため，従来では色温度補正のための多様な方法が提案されたが，その中で代表的な方法として，相対的に明るさが低い青色（Ｂ：Ｂｌｕｅ）を除いた赤色（Ｒ：Ｒｅｄ）と緑色（Ｇ：Ｇｒｅｅｎ）とのアナログ映像信号をデジタル化する段階の移行時に，ピーク値を色相別に低くなるようにガンマ補正をした後，デジタル化する。
【００１０】
上記デジタル化することで赤色と緑色の最高輝度を出す維持パルスの個数を青色に比べて相対的に減少させて，色温度を向上させる方法と，または，青色放電空間を増加させて赤色及び緑色放電空間は減少させることによって色温度を向上させる方法などがある。
【発明の開示】
【発明が解決しようとする課題】
【００１１】
しかしながら，ガンマ補正を利用した方法は，緑色と赤色の最高明度を表現するのに必要な２５５個全ての維持パルスを使用しないために徐々に明るくなる映像や徐々に暗くなる映像を表現には緑色と赤色で階段現象が発生する問題がある。なお，階段現象は，例えば，階段状に俄かに明るくなったり，暗くなったりする現象をいうが，かかる例に限定されない。
【００１２】
そして，非対称セルを利用した後者の方法は，色相別に互いに異なる大きさの放電空間により放電の不均一が発生して，それにともなう誤放電の問題と安定した駆動のための電圧マージンが減る問題があり，また，蛍光体を印刷する時に各色相別に別途のマスクを使用しなければならないので，加工費などの費用増加の問題があり，視感解像度にも問題があった。
【００１３】
本発明は，上記問題点に鑑みてなされたものであり，本発明の目的は，放電セルの内部に突出する不透明突出電極を利用し，色温度及び明室コントラストを向上させたプラズマディスプレイパネルを提供することである。
【課題を解決するための手段】
【００１４】
上記課題を解決するため，本発明の第１の観点によれば，プラズマディスプレイパネルは，互いに対向するように配置された前面基板及び背面基板と，上記背面基板に形成されるアドレス電極と，上記両基板の間に配置されて放電セルを形成する隔壁と，上記放電セルの内部にかけられた放電ガスによって励起されて発光する赤，緑，青色の蛍光体，及び上記前面基板に形成される表示電極を含み，上記表示電極は，それぞれの放電セルの内部に突出形成される不透明突出電極を備えて，上記赤，緑，青色の放電セルの中で少なくとも２つの互いに異なる放電セルの内部に配置される不透明突出電極が互いに異なる大きさの面積で形成される。
【００１５】
好ましくは，上記青色放電セルの内部に突出した不透明突出電極は，緑色及び赤色放電セルの内部に突出した不透明突出電極より小さい面積で形成される。
【００１６】
上記不透明突出電極は，放電セルの内部に向かって突出する第１電極部で形成されるか，または上記第１電極部及びこの電極部の端部に備えられる第２電極部で形成されるが，上記第１電極部は上記アドレス電極と同一方向または一定の傾斜角の方向に形成され，上記第２電極部は第１電極部またはアドレス電極と直交する方向に形成できる。
【００１７】
もちろん，上記第２電極部の形状及び配置方向は制限されることはなく，多様な形態で変更が可能である。
【００１８】
そして，上記第２電極部は，第１電極部と同一幅で形成されるか，第１電極部より大きい幅で形成することができる。
【００１９】
上記表示電極は，不透明突出電極と電気的に結合された透明電極をさらに含むことができるが，この場合，上記透明電極を放電セルの内部に形成することができる。
【００２０】
そして，表示電極の全体的な形状は，対称構造または非対称構造で形成することができる。例えば，Ｘ電極またはＹ電極の中で一方の電極方向にだけ不透明突出電極が形成されることもでき，両側電極全てに不透明突出電極が形成される場合でも，不透明突出電極の形状を同一に形成する必要はない。
【発明の効果】
【００２１】
以上説明したように，本発明によれば，ディスプレイパネルでは，放電セルの内部に突出形成された不透明突出電極により外光反射率が低減されて，明室コントラストが改善でき，また，色温度を補正することができるので，ガンマ補正及び非均等隔壁を使用して色温度を補正できる。
【発明を実施するための最良の形態】
【００２２】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２３】
図１は，本発明の実施形態にかかるプラズマディスプレイ装置の分解斜視図を示したものである。
【００２４】
プラズマディスプレイパネル（ＰＤＰ）１０は，フリットのような密封材により一体に接合される前面基板１０ａと，背面基板１０ｂによって構成される。そして，上記ＰＤＰ１０の内部に放電セルが備えられて，プラズマ生成を通して可視光放出に任意のカラー映像が実現される。
【００２５】
上記ＰＤＰ１０を備えたプラズマディスプレイ装置は，ＰＤＰ１０の後面（背面）を支持し，複数の回路ボードアセンブリー１２を搭載するシャシベース１４と，ＰＤＰ１０の前方に位置するフロントキャビネット（前枠）１６と，シャシベース１４の後方に位置して，ＰＤＰ１０とシャシベース１４を囲むようにフロントキャビネット１６と一体に組立てられて外形を構成するバックカバー（背面保護板）１８を含む。
【００２６】
上記バックカバー１８に対向するシャシベース１４の後面には，パワーサプライボード（電源基板），イメージ処理ボード（映像処理基板），アドレスバッファーボード，Ｘボード及びＹボード（Ｘ基板及びＹ基板）のような各種回路ボードアセンブリー（回路基板組立体）１２が搭載されて（図示せず），ＰＤＰ１０及び回路ボードアセンブリー１２で発生する熱を発散させるために，上記シャシベース１４は放熱性が優れた材質或いは構造で形成されている。
【００２７】
上記フロントキャビネット１６には，静電気防止のための導電膜フィルター１６ａが備わって，導電膜フィルター１６ａがＰＤＰ１０の前面基板１０ａと接触されて，バックカバー１８にはＰＤＰ１０から発生した熱をプラズマディスプレイ装置の外部に排出させるための複数の通気孔１８ａが形成される。
【００２８】
そして，プラズマディスプレイ装置は，ＰＤＰ１０で発生した熱を装置の外部に放熱するために，ＰＤＰ１０とシャシベース１４の間に熱伝導媒体２０を備える。また，ＰＤＰ１０の背面基板１０ｂの周縁には両面テープのような結合材２２が位置して，上記結合材２２によりＰＤＰ１０とシャシベース１４が結合される。ここで，結合材２２はＰＤＰ１０とシャシベース１４を結合させる機能以外に，ＰＤＰ１０とシャシベース１４の間の間隔を維持して外部の衝撃を緩衝する機能も有する。
【００２９】
次に，上記記載のような構成のプラズマディスプレイ装置において，上記ＰＤＰ１０の構成について詳細に説明する。
【００３０】
まず，図２及び図３を参照しながら，本発明の一実施形態にかかるＰＤＰの構成について説明する。
【００３１】
図２は，本発明の一実施形態によるＰＤＰの概略的な構成を示す分解斜視図であり，図３は図２の主要部の概略的な構成を示す説明図である。
【００３２】
図２及び図３に示すように，背面基板１０ｂの上面には帯状の形態でアドレス電極Ａが形成され，そのアドレス電極Ａが形成された背面基板１０ｂの上面には誘電層２４が形成され，上記誘電層２４の上面にはアドレス電極Ａと略平行に帯状のパターンの隔壁２６が形成され，上記隔壁２６及び誘電層２４上には赤，緑，青色の蛍光体（Ｒ，Ｇ，Ｂ）が形成される。
【００３３】
以下，上記赤色の蛍光体Ｒが塗布された放電空間を赤色放電セル２８Ｒとして，これと同様に緑色及び青色の蛍光体が塗布された放電空間を各々緑色放電セル２８Ｇ及び青色放電セル２８Ｂと記載するが，かかる例に限定されない。
【００３４】
そして，上記背面基板１０ｂと組立てられる前面基板１０ａには，アドレス電極Ａと直交する状態で表示電極Ｄが形成される。本実施の形態において，上記表示電極Ｄは，一対のバス電極３０ａ，バス電極３０ｂと，この一対のバス電極３０ａ，バス電極３０ｂに各々電気的に結合して電極間の放電が容易に行われるようにするために，放電セル２８Ｒ，放電セル２８Ｇ，放電セル２８Ｂの内部に突出形成される一対の透明電極３２ａ，透明電極３２ｂと，上記透明電極３２ａ，透明電極３２ｂと電気的に結合された一対の不透明突出電極３４ａ，不透明突出電極３４ｂを含む。
【００３５】
ここで，上記不透明突出電極３４ａと，不透明突出電極３４ｂは，前面基板１０ａから入射される外光の反射による明室コントラスト低下を防止するために，上記透明電極３２ａ及び透明電極３２ｂと同様に放電セル２８Ｒ，放電セル２８Ｇ，放電セル２８Ｂの内部空間に不透明突出電極３４ａと不透明突出電極３４ｂが突出形成される。
【００３６】
この時，上記不透明突出電極３４ａ，不透明突出電極３４ｂは，ＰＤＰ１０の色温度を補正する作用も遂行するが，このために上記不透明突出電極３４ａ，不透明突出電極３４ｂは，放電セル２８Ｒ，放電セル２８Ｇ，放電セル２８Ｂの色相によって異なる大きさの面積に形成される。
【００３７】
一般に，放電セルの内部に塗布される赤色，緑色，青色の蛍光体Ｒ，蛍光体Ｇ，蛍光体Ｂは互いに異なる輝度を有し，青色の蛍光体Ｂは緑色の蛍光体Ｇに比べて輝度が低い。
【００３８】
従って，放電セル２８Ｒ，放電セル２８Ｇ，放電セル２８Ｂを同一大きさで形成しながら色温度を補正するためには，上記緑色放電セル２８Ｇ及び青色放電セル２８Ｂの輝度が適切な水準で調節される必要がある。このため，本実施形態では緑色放電セル２８Ｇの内部に突出する不透明突出電極３４ａと不透明突出電極３４ｂとの面積が青色放電セル２８Ｂの内部に突出する不透明突出電極の面積より大きく形成される（図３参照）。上記不透明突出電極３４ａと不透明突出電極３４ｂの面積の調節は電極幅を調節することにより可能になる。
【００３９】
上記実施形態では，図３に示すように，不透明突出電極３４ａ，不透明突出電極３４ｂが，放電セル２８Ｒ，放電セル２８Ｇ，放電セル２８Ｂの内部に向かって突出される第１電極部３４ａ−１及び第１電極部３４ｂ−１と，上記第１電極部３４ａ−１及び第１電極部３４ｂ−１の端部に備えられる第２電極部３４ａ−２，第２電極部３４ｂ−２からなる。上記第１電極部３４ａ−１，第１電極部３４ｂ−１は上記アドレス電極Ａと同一方向（図３に示すＹ軸方向）に形成されて，第２電極部３４ａ−２，第２電極部３４ｂ−２は第１電極部３４ａ−１，第１電極部３４ｂ−１と直交する方向（図３に示すＸ軸方向）に形成される。もちろん，上記第１電極部及び第２電極部の形状及び形成方向は制限されずに，多様な形態で変更が可能である。
【００４０】
そして，上記第２電極部３４ａ−２，第２電極部３４ｂ−２は，第１電極部３４ａ−１，第１電極部３４ｂ−１と同一幅で形成されたり，第１電極部３４ａ−１，第１電極部３４ｂ−１より大きい幅に形成されたり可能である。
【００４１】
また，上記透明電極３２ａ，透明電極３２ｂは必須でなく，必要に応じて選択的に除去できる。
【００４２】
そして，上記実施形態では，表示電極Ｄの全体形状が対称構造に形成できることを例として説明したが，上記表示電極は非対称構造で形成できる。例えば，Ｘ電極またはＹ電極の中で，一方の電極方向にだけ不透明突出電極が形成できて，両側電極全てに不透明突出電極が形成された場合でも不透明突出電極の形状を同一に形成する必要はない。
【００４３】
このような構成の不透明突出電極３４ａ，不透明突出電極３４ｂを備えたＰＤＰ１０では，上記不透明突出電極が外光反射による明室コントラスト低下を防止できる。また，緑色放電セル２８Ｇの内部の不透明突出電極が青色放電セル２８Ｂの内部の不透明突出電極より相対的に大面積となるように形成されるので，上記不透明突出電極の面積を適切に設定することによって色温度を補正できる。
【００４４】
図４は，本発明の他の実施形態によるＰＤＰの主要部構成を示す概略図を示したものである。以下の実施形態を説明するに当たり，上記図２及び図３の実施形態と同一機能を遂行する同一構成要素については同一参照符号を付与する。
【００４５】
本実施形態は，デルタ型画素配列を有するＰＤＰにおいて，バス電極４０ａ，バス電極４０ｂが隔壁２６に沿って形成され，バス電極４０ａ，バス電極４０ｂの中で，一方の電極が共通的に用いられている。
【００４６】
そして，それぞれの放電セル２８Ｒ，放電セル２８Ｇ，放電セル２８Ｂの内部には互いに対向する一対の不透明突出電極４４ａ，不透明突出電極４４ｂが突出形成され，上記不透明突出電極４４ａ，不透明突出電極４４ｂはアドレス電極が形成されたＹ軸方向と一定の傾斜角方向に形成される第１電極部４４ａ−１，第１電極部４４ｂ−１と，アドレス電極と直交するＸ軸方向に形成される第２電極部４４ａ−２，第２電極部４４ｂ−２からなる。
【００４７】
以上では対称的な表示電極を有するＰＤＰについて説明したが，上記表示電極が非対称構造で形成されることも可能である。
【００４８】
図５ａ及び図５ｂは，非対称構造の表示電極を有するＰＤＰの主要部構成図を概略的に示したものである。
【００４９】
特に，上記図５ａ及び図５ｂに示したＰＤＰは，図４の実施形態と同様にバス電極５０ａ，バス電極５０ｂ，バス電極６０ａ，バス電極６０ｂの中で，一方の電極を共通的に使用する構造を採用すると同時に，上記バス電極５０ａ，バス電極５０ｂ，バス電極６０ａ，バス電極６０ｂの中で，一方の電極方向にだけ不透明突出電極が形成される。
【００５０】
図５ａに示したＰＤＰは，バス電極５０ａに形成される不透明突出電極５４ａが第１電極部５４ａ−１のみからなることを示しており，図５ｂに示したＰＤＰは不透明突出電極６４ａが図２及び図３の実施例と同様に第１電極部６４ａ−１及び第２電極部６４ａ−２からなることを示している。
【００５１】
図示してはないが，本実施形態にて説明した場合の他にも隔壁構造などの特徴によって多様な形態で構成することができ，放電セルの内部に不透明突出電極が突出形成されると同時に，上記不透明突出電極が放電セルの色相によって異なる面積にする構造を採用するＰＤＰは全て本発明の範囲に属することができる。
【００５２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【００５３】
【図１】本発明の実施形態によるプラズマディスプレイ装置の分解斜視図である。
【図２】本発明の一実施形態によるプラズマディスプレイパネルの分解斜視図である。
【図３】図２の主要部の構成を示す概略図である。
【図４】本発明の他の実施形態によるプラズマディスプレイパネルの主要部の構成を示す概略図である。
【図５ａ】本発明の他の実施形態によるプラズマディスプレイパネルの主要部構成を示す概略図である。
【図５ｂ】本発明の他の実施形態によるプラズマディスプレイパネルの主要部構成を示す概略図である。
【符号の説明】
【００５４】
１０      プラズマディスプレイパネル（ＰＤＰ）
１０ａ    前面基板
１０ｂ    背面基板
１２      回路ボードアセンブリー
１４      シャシベース
１６      フロントキャビネット
１６ａ    導電膜フィルター
１８      バックカバー
１８ａ    通気孔
２０      熱伝導媒体
２２      結合材
２４      誘電層
２６      帯状パターンの隔壁
２８Ｒ    赤色放電セル
２８Ｂ    青色放電セル
２８Ｇ    緑色放電セル
３０ａ    バス電極
３０ｂ    バス電極
３２ａ    透明電極
３２ｂ    透明電極
３４ａ    不透明突出電極
３４ａ−１  第１電極部
３４ａ−２  第２電極部
３４ｂ    不透明突出電極
３４ｂ−１  第１電極部
３４ｂ−２  第２電極部
４０ａ    バス電極
４０ｂ    バス電極
４４ａ    不透明突出電極
４４ａ−１  第１電極部
４４ａ−２  第２電極部
４４ｂ    不透明突出電極
４４ｂ−１  第１電極部
４４ｂ−２  第２電極部
５０ａ    バス電極
５０ｂ    バス電極
５４ａ    不透明突出電極
５４ａ−１  第１及電極部
６０ａ    バス電極
６０ｂ    バス電極
６４ａ    不透明突出電極
６４ａ−１  第１及電極部
６４ａ−２  第２電極部
Ａ        アドレス電極
Ｄ        表示電極
【図１】
2005340221.tif 000003
【図２】
2005340221.tif 000004
【図３】
2005340221.tif 000005
【図４】
2005340221.tif 000006
【図５ａ】
2005340221.tif 000007
【図５ｂ】
2005340221.tif 000008